(57)【要約】【課題】介護者９が仰臥状態の被介護者２を上方や横方に効率よく簡単に移動させることが可能な介護用移動シート１を提供することを目的とする。【解決手段】裏面が摩擦係数が低く滑り性が良好な布地よりなる。握り部７、８を具備した頭部載置シート４と、右半身載置シート５と、左半身載置シート６とよりなり、頭部載置シート４の下端縁には、下端縁を２等分する中心位置１０から右端縁にかけて右半身載置シート５を連続的に延設し、下端縁を２等分する中心位置１０から左端縁にかけて左半身載置シート６を連続的に延設している。右半身載置シート５は被介護者２の右半身を支持可能に、被介護者２の右半身の肩から股間に亘る長さを有し、左半身載置シート６は被介護者２の左半身を支持可能に、被介護者の左半身の肩から股間に亘る長さを有したことを特徴とする。【選択図】図１
2010022802.tif 000002
【特許請求の範囲】
【請求項１】
裏面が摩擦係数が低く滑り性が良好な布地よりなり、被介護者を寝床上で所望位置に移動するための介護用移動シートであって、
握り部を具備した頭部載置シートと、右半身載置シートと、左半身載置シートとよりなり、
前記頭部載置シートの下端縁には、該下端縁を２等分する位置から右端縁にかけて右半身載置シートを連続的に延設し、前記下端縁を２等分する位置から左端縁にかけて左半身載置シートを連続的に延設し、
前記右半身載置シートは被介護者の右半身を支持可能に、被介護者の右半身の肩から股間に亘る長さを有し、
前記左半身載置シートは被介護者の左半身を支持可能に、被介護者の左半身の肩から股間に亘る長さを有したことを特徴とする介護用移動シート。
【発明の詳細な説明】
【技術分野】
【０００１】  本発明は、例えば寝床上を自力で移動できない病人や所謂寝たきりの人等、介護を必要とする者（以下「被介護者」という）を、介護者が寝床上で移動するために使用する被介護者移動シートに関し、より詳しくは、介護者が被介護者と寝床の間にシートを差し入れて仰臥状態の被介護者を容易に寝床上で位置移動可能にし、介護者の肉体的負担を軽減させるようにした介護用移動シートに関する。
【背景技術】
【０００２】  介護作業の一環として、介護者が、自力で寝床上を移動できない被介護者の位置を寝床上で移動させる作業がある。被介護者が使用する寝床は、被介護者の腰部対応付近を中心としてベッド上半部が起伏するような構造の所謂ギャジベッドが一般的に使用され、被介護者の上半身をベッド上半部にもたれた状態で起き上がらせるようにしている。ギャジベッドを使用して被介護者をベッド上で起き上がらせると、ギャジベッドの機能に起因して、被介護者はギャジベッド上を足元の方向へ自ずとずれ動く傾向がある。ベッド上半部を起こして被介護者を起き上がらせた後に、ベッド上半部を伏しギャジベッドを元の水平状態に戻すと、脚力の無い被介護者は自力で枕元方向へ位置移動が出来ず、介護者は被介護者を元の正しい位置に移動するために、被介護人をベッドの枕元方向へ引き上げる作業をする必要がある。被介護人をベッドの枕元方向へ引き上げる作業は、介護者にとって受ける肉体的疲労、特に腰部と足にかかる負担は甚大で、介護者の腰痛を引き起こす主原因となっていた。高齢者社会を迎え医学の発達に伴い、介護を必要とする被介護者数も増加している。しかし、介護者は腰に不自然な形で力を入れる力仕事が多く腰痛を引き起こして就業不可能となり、介護職という職業の続行を断念せざるをえないケースが殆どで、介護者は年々減少傾向にある。特に女性就業者比率の高い介護者の肉体的負担を軽減するために種々の介護用品が提案されている。【０００３】  この種の介護シートとして、互いに分離し１対の同一平面形状のシート片よりなり、該２枚のシート片のうち一方のシート片は被介護者の身体の右半身を支持し、他方のシート片は被介護者の左半身を支持するように夫々のシート片は被介護者の肩から臀部に亘る長さを有し、肩から頭部側にはシート片を移動のために手で握る握り部を設けた握り部取付片を延設し、寝床と被介護者の右半身間に一方のシート片を差し入れ、寝床と被介護者の左半身間に他方のシート片を差し入れて、２枚のシート片を被介護者と寝床との間に左右平行に並設して敷き、介護者は被介護者の頭部側にて夫々の握り部に手を差し入れて両手で同時に２枚のシート片を上方へ引っ張り上げて被介護者を枕元方向へ位置移動させるようにし、移動作業終了後は２枚のシート片を左右側方へ引き抜くようにしたものが提案されている（例えば、特許文献１参照）。
特許文献１に記載の発明は互いに分離した２枚の同一形状のシート片を被介護者の身体と寝床の間の左右半身に夫々並設して使用するので、被介護者を枕元方向に引き上げる際に、２枚のシート片を引っ張る方向及び力が同一でなければ一方のシート片が被介護者の身体の下から抜け出る等の事態が生じ、被介護者を枕元方向へ引き上げることが出来ず、引き上げ作業に熟練を有する問題点があった。【０００４】  又、端部に把手を設け、横幅中心線を脊髄位置線として印を付した帯状の上側シートと、平視台形状で上側シートの横幅よりも広い横幅を有して形成された下側シートを連設し、上側シートと下側シートを折り返し部で折り返し、折り返して裏面側になる部分を摩擦係数の小さい材質で、表面側になる部分を摩擦係数の大きい材質で構成され、折り返し部で折り返して下側シートと上側シートを重合した状態で、左右両端縁の何れか一方の側から丸め、被介護者を左右に体位を向けた瞬間に丸めていない他方の側を被介護者の浮き上がった体側部の下方に差し入れ、次に被介護者の体位を逆方向に変えて丸めた部分を展開し、被介護者をシート状に仰臥させるようにしたものが提案されている（例えば、特許文献２参照）。
特許文献２に記載の介護用シートは、展開すれば被介護者の頭部から大腿部までの２倍の長さの帯状シートを必要とし、取り扱いが困難で、携帯するには嵩張り不便で、しかも使用する原材料が多いためコスト高になる。又、使用の際に、介護者が把手を持って上方へ引き上げると、下側シート上を上側シートがスライドし折り返し部が下側シート部分に移動してシート全体が展開しようとし、被介護者を所望位置へ移動できない事態が生じる場合があり、介護者は操作に熟練性を必要とする。又、被介護者の左半身分と右半身分を支持するシートを分離せず、１枚のシートで頭部から大腿部までを支持する構成であるため、被介護者と寝床の間からシートを抜き取る作業にも介護者の肉体的負担がかかるという問題点があった。【０００５】  特許文献３〜特許文献７には、シートに切り目を入れ介護者手差し入れ孔が設けられているものや、シート端縁に環状把手をシート端縁から外方に突出して取り付けたものが提案されている。人力で物を引っ張るには、手を差し入れる部分が必要であり、特許文献３〜特許文献７に記載の発明は、本願発明とは他の構成が別異である。
【特許文献１】特開２００７−５４１７８号公報
【特許文献２】特開平９−３８１４０号公報
【特許文献３】特開２００１−３０９９５０号公報
【特許文献４】意匠登録第１１０４２６０号の意匠公報
【特許文献５】特開２００７−１８１５１０号公報
【特許文献６】特開２００６−１９８３６９号公報
【特許文献７】特開２００４−２４３０８７号公報
【発明の開示】
【発明が解決しようとする課題】
【０００６】  本願発明は上記従来技術の有する問題点に鑑みて創案されたものであって、介護者の肉体的負担を著しく軽減し、シートを引き上げる途中で被介護者と寝床の間から一方の半身載置シートが抜け出ることなく仰臥状態の被介護者を所望位置に確実に移動可能とし、仰臥状態の被介護者を枕元方向へ引き上げる作業のみならず、ベッドからストレッチャーへの横方向への水平移動も可能にし、介護者が仰臥状態の被介護者を上方や横方に効率よく簡単に移動させることが可能な介護用移動シートを提供することを目的とする。
【課題を解決するための手段】
【０００７】  本願発明のうち請求項１に記載の発明は、裏面が摩擦係数が低く滑り性が良好な布地よりなり、被介護者を寝床上で所望位置に移動するための介護用移動シートであって、握り部を具備した頭部載置シートと、右半身載置シートと、左半身載置シートとよりなり、前記頭部載置シートの下端縁には、該下端縁を２等分する位置から右端縁にかけて右半身載置シートを連続的に延設し、前記下端縁を２等分する位置から左端縁にかけて左半身載置シートを連続的に延設し、前記右半身載置シートは被介護者の右半身を支持可能に、被介護者の右半身の肩から股間に亘る長さを有し、前記左半身載置シートは被介護者の左半身を支持可能に、被介護者の左半身の肩から股間に亘る長さを有したことを特徴とする。
【発明の効果】
【０００８】  本願発明は、３枚のシートより構成されているため低コスト化を実現可能であるという効果がある。
本願発明は、右半身載置シートと左半身載置シートの上端縁が頭部載置シート下端縁と連設されており、右半身載置シートと左半身載置シートの左右側端縁及び下端縁部分は互いに離れているため、介護者は被介護者と寝床の間に１方の半身シートを被介護者の対応半身下へ、他方の半身シートを被介護者の対応半身下に差し込めばよく、丸める等の余分な手間を必要とせず、簡便に被介護者と寝床との間に敷設可能であるという効果がある。
本願発明は、頭部載置シートと連設されている右半身載置シートと左半身載置シートの上端縁部分以外は互いに離れているため、被介護者と寝床の間から左右外側方向に右半身載置シートと左半身載置シートを引っ張り抜き、その後、頭部載置シートを頭部より引き抜けばよく、介護者にとっても腰に殆ど負荷がかからず簡便に抜き取り作業を行い得るという効果がある。
本願発明は、ベッドの長手方向に直交して介護用移動シートを被介護者と寝床の間に敷設して使用することで、従来のように複数人が被介護者を抱えて行うストレッチャー移動作業が、１人の介護者でストレッチャー移動作業を行うことが出来るという効果がある。
【発明を実施するための最良の形態】
【０００９】  握り部を具備した頭部載置シートの下端縁に右半身載置シートと左半身載置シートの上端縁を連設し、右半身載置シートと左半身載置シートを左右にのれん状に並設することで、右半身載置シートと左半身載置シート上に仰臥した被介護者を安全で確実に所望位置に移動可能にすることを実現した。
【実施例１】
【００１０】  図１〜図６に示される実施例１について説明する。図１は介護用移動シートの表面図、図２は介護用移動シートを被介護者と寝床の間に差し入れようとする使用状態を示す説明図、図３は介護者が介護用移動シートに被介護者を載せて上方へ移動する使用状態を示す説明図、図４は介護用移動シートを寝床と被介護者の間に差し入れて被介護者の身体中心線（脊髄位置）に対して直交するようにし、被介護者をストレッチャー上へ移動状態を示した説明図、図５は介護用移動シートを寝床と被介護者の間に差し入れて被介護者の身体中心線に対して直交するようにして被介護者を寝床上で移動状態を示す説明図、図６は図５により体位変換した状態を示す説明図である。
これらの図において、介護用移動シート１は、例えば、ポリエステル繊維やナイロン繊維（ポリアミド系合成繊維）等の強伸度の繊維を用いて緻密な平織り等に製織した織物を、２枚から４枚重合した２枚重ねシートや３枚重ねシート或は４枚重ねシートを使用することが好適である。織物を重ねる枚数は、被介護者２の体重や織物の厚み等により適宜決定する。重合され最下部に配設されたシートは、寝床３側と当接する裏面が摩擦係数が小さく滑り性の良好なシート材を材料とするか、ポリエステル繊維やナイロン繊維等の強伸度の繊維を用いて緻密な平織り等に製織した織物の裏面全体若しくは一部にシリコーン樹脂やフッ素樹脂等の皮膜を被着形成したものが考えられる。【００１１】  介護用移動シート１は、頭部載置シート４と右半身載置シート５及び左半身載置シート６とより構成されてなる。先ず、頭部載置シート４は、横幅が被介護者２の肩幅や腰幅よりも大に形成され、縦幅が首の付け根から頭頂までの長さよりも少し長い、平視が横長な略矩形状に形成されている。頭部載置シート４には左右１対の握り部７、８が設けられている。握り部７、８は、介護者９の手を差し入れ可能な長さの横長な切り込みよりなる手差込孔よりなり、切り込みの周縁は解れ止め処理がなされている。握り部７の横方向中心位置（開口長さ方向中心位置）は、頭部載置シート４の下端縁を横方向に２等分する中心位置１０から頭部載置シート４の下端縁左端部間の中心位置より僅かばかり内側に位置している。又、握り部８の横方向中心位置（開口長さ方向中心位置）は、頭部載置シート４の下端縁を横方向に２等分する中心位置１０から頭部載置シート４の下端縁右端部間の中心位置より僅かばかり内側に位置している。【００１２】  右半身載置シート５は、横幅が頭部載置シート４の下端縁長さの１／２の長さで、縦幅が被介護者の肩から大腿部までに亘る長さを有する縦長な長方形状に形成されている。右半身載置シート５の上端は、頭部載置シート４の下端縁中心位置１０から頭部載置シート４の下端縁の左端縁に亘り縫着されている。左半身載置シート６は、横幅が頭部載置シート４の下端縁長さの１／２の長さで、縦幅が被介護者の肩から大腿部までに亘る長さを有する縦長な右半身載置シート５と同一長方形状に形成されている。左半身載置シート６の上端は、頭部載置シート４の下端縁中心位置１０から頭部載置シート４の下端縁の右端縁に亘り縫着されている。右半身載置シート５と左半身載置シート６の横幅は、右半身載置シート５の右側端縁と左半身載置シート６の左側端縁に、被介護者２の脊髄を位置させて腕を腰の方に伸ばした状態で仰臥した場合、被介護者２の腕が右半身載置シート５と左半身載置シート６から外側方にはみ出ることなく右半身載置シート５と左半身載置シート６上に配設される程度であることが好ましい。頭部載置シート４の下端縁の左右１／２には、右半身載置シート５と左半身載置シート６を連続して設け、右半身載置シート５の右側端縁と左半身載置シート６の左側端縁は当接し、且つ分離するように横方向に平行に並設され、全体としてのれん状の外観を呈するように構成されている。
尚、実施例１では、頭部載置シート４に右半身載置シート５と左半身載置シート６を縫着している場合を例に説明したが、本発明はこれに限定されるものではない。縫着することなく１枚の布の下端縁中心から上部中途位置まで長さ方向に沿って切断し、切断された左右の布片を右半身載置シートと左半身載置シートとし、切断されない上部布片を頭部載置シートとするものも本願発明に包含される。【００１３】  実施例１では、頭部載置シート４の横幅が約６２．０ｃｍ、縦幅が約３１．０ｃｍ、握り部７、８の外端部と対向する端縁との最短長さが１１．０ｃｍ、握り部７、８の内端間の長さが１８．ｃｍ、握り部７、８の開口長が１１．０ｃｍ、握り部７、８と頭部載置シート４の上端縁との最短長さが７．５ｃｍの横長な平視長方形に形成されている。右半身載置シート５と左半身載置シート６は、双方共に横幅が３１．０ｃｍで、縦幅が８８．０ｃｍの縦長な平視長方形に形成されている。介護用移動シート１は、全体が横幅が６２．０ｃｍで、縦幅が１１９ｃｍに形成されている。尚、各部位の長さは被介護者の体格により適宜対応させ、本願発明は各部位の長さまでも限定しない。【００１４】  次に、使用状態について説明する。第１の使用方法を図２及び図３を参照にして説明する。先ず、図２に示すように、介護者９は被介護者２の頭部側に位置し、寝床３上の被介護者２の頭部を少し持ち上げて頭部載置シート４を被介護者２の頭部と寝床３との間に敷設する。この場合、被介護者２の頸部が、頭部載置シート４の下端縁中心位置１０に位置するようにする。その後、介護者９は被介護者２の右側に移動し、被介護者２の右半身下側へ右半身載置シート５を差し入れ、被介護者２の臀部が右半身載置シート５上に載置するようにし、右半身載置シート５の下部を被介護者２の股間から下方に引っ張り長方形状に展開する。次に、介護者９は、被介護者２の左側に位置し、被介護者２の左半身下側へ左半身載置シート６を差し入れ、被介護者２の臀部が左半身載置シート６上に載置するようにし、左半身載置シート６の下部を被介護者２の股間から下方に引っ張りに展開し、右半身載置シート５の右側端縁と左半身載置シート６の左側端縁を当接するように整える。介護者９は被介護者２の頭部側に戻り、握り部７、８に手を夫々差し入れて、介護用移動シート１を元の枕元方向へ引っ張り上げる。
第２の使用方法を説明する。介護用移動シート１を下方から丸めた状態で、被介護者２の頭部と寝床３との間に頭部載置シート４を敷設し、次に、被介護者２の肩から大腿部にかけては右半身載置シート５及び左半身載置シート６を順次展開して被介護者２の左右各半身に夫々右半身載置シート５と左半身載置シート６を敷設する使用方法である。
第３の使用方法を図４を参照にして説明する。被介護者２を横方向に移動させ、ストレッチャーに移す場合の使用方法である。寝床３の長さ方向に対し直交させて介護用移動シート１を敷設する。この場合、被介護者２の体重がかかる背と臀部が介護用移動シート１に載置されるようにする。介護者９が握り部７、８に手を差し入れて横方向に引っ張ると、被介護者２は介護用移動シート１と共に横方向に移動し、ストレッチャー１１上に移される。被介護者２がストレッチャー１１上に移動すると、介護用移動シート１を引き抜く。
第４の使用方法を図５及び図６を参照にして説明する。寝床３上を被介護者２が左右半身を交互に浮かして褥瘡を防止する場合の使用方法である。寝床３の長さ方向に対し直交させて介護用移動シート１を敷設する。この場合、被介護者２の体重がかかる臀部が介護用移動シート１に載置されるようにする。介護者９が握り部７、８に手を差し入れて横方向に引っ張ると、被介護者２は介護用移動シート１と共に横方向に移動し、被介護者２の半身を浮かして介護用移動シート１を引き抜き、浮かした半身に枕１２を差し入れる。【００１５】  介護用移動シート１は裏面が摩擦係数の低い滑り性が良好な部材よりなるので、容易に被介護者２を移動させることが出来る。頭部載置シート４に、右半身載置シート５と左半身載置シート６が縫着されているので、介護者９の両手の引っ張り力に差があっても、右半身載置シート５と左半身載置シート６は被介護者２と寝床３の間から一方のシートのみが抜け出るという事態は生じない。握り部７、８は、握り部７の横方向中心位置（開口長さ方向中心位置）が、頭部載置シート４の下端縁を横方向に２等分する中心位置１０から頭部載置シート４の下端縁左端部間の中心位置より僅かばかり内側に位置し、握り部８の横方向中心位置（開口長さ方向中心位置）は、頭部載置シート４の下端縁を横方向に２等分する中心位置１０から頭部載置シート４の下端縁右端部間の中心位置より僅かばかり内側に位置しているため、介護者９が握り部７、８に手を差し入れて介護用移動シート１の長さ方向に引っ張っても、右半身載置シート５と左半身載置シート６は左右外側方に開かず、被介護者２を右半身載置シート５に右半身を左半身載置シート６に左半身を夫々載置した状態で移動可能であるという極めて安全性が高く、効率的に被介護者を移動できるという効果がある。
【実施例２】
【００１６】  図７に示される実施例２について説明する。図７は介護用移動シートの握り部を示す一部切欠表面図である。図１〜図６に示される実施例１と異なる点は、介護用移動シート１は、頭部載置シート４の上端に環状に握り部１３、１３を取り付けている点である。
【図面の簡単な説明】
【００１７】
【図１】介護用移動シートの表面図である。（実施例１）
【図２】介護用移動シートを被介護者と寝床の間に差し入れようとする使用状態を示す説明図である。（実施例１）
【図３】介護者が介護用移動シートに被介護者を載せて上方へ移動する使用状態を示す説明図である。（実施例１）
【図４】介護用移動シートを寝床と被介護者の間に差し入れて被介護者の身体中心線に対して直交するようにし、被介護者をストレッチャー上へ移動状態を示した説明図である。（実施例１）
【図５】介護用移動シートを寝床と被介護者の間に差し入れて被介護者の身体中心線に対して直交するようにして被介護者を寝床上で移動する状態を示す説明図である。（実施例１）
【図６】図５により体位変換した状態を示す説明図である。（実施例１）
【図７】介護用移動シートの握り部を示す一部切欠表面図である。（実施例２）
【符号の説明】
【００１８】  １  介護用移動シート
２  被介護者
３  寝床
４  頭部載置シート
５  右半身載置シート
６  左半身載置シート
７、８、１３  握り部
【図１】
2010022802.tif 000003
【図２】
2010022802.tif 000004
【図３】
2010022802.tif 000005
【図４】
2010022802.tif 000006
【図５】
2010022802.tif 000007
【図６】
2010022802.tif 000008
【図７】
2010022802.tif 000009